(57)【特許請求の範囲】
【請求項１】
自動販売機本体の内部に断熱構造の商品収容庫を設けた自動販売機に適用され、該商品収容庫の前面開口の上部側を覆う態様で配設される断熱構造の自動販売機用扉体において、
断熱材から構成される矩形状の断熱扉本体と、
前記断熱扉本体の縁部に配設された補強金部材と
を備え、
前記補強金部材のうち前記断熱扉本体の下端部に設けられた下端補強金部材は、前記断熱扉本体の前面に接する態様で上方に向けて延在してその途中から前方に傾斜しながら上方に向けて延在する補強保持部を有し、該補強保持部と前記断熱扉本体の前面との間で該断熱扉本体の前面で生じた結露水を貯留するとともに、毛管現象により結露水を吸水して蒸発させる蒸発シート体が差し込まれるようにして該蒸発シート体を立設させることを特徴とする自動販売機用扉体。
【発明の詳細な説明】
【技術分野】
【０００１】
本発明は、自動販売機本体の内部に断熱構造の商品収容庫を設けた自動販売機に適用され、該商品収容庫の前面開口の上部側を覆う態様で配設される自動販売機用扉体に関するものである。
【背景技術】
【０００２】
従来、例えば缶入り飲料やペットボトル入り飲料等の商品を販売する自動販売機においては、自動販売機本体の内部に断熱構造の商品収容庫が設けられているとともに、この商品収容庫の内部に商品を収納するための商品収納ラックが設けられており、商品収容庫の内部雰囲気を冷却、若しくは加熱することによって商品収納ラックに収納された商品を所望の温度状態に維持するようにしている。
【０００３】
商品収容庫の前面開口には、内扉と称される断熱構造の扉体が開閉可能に設けられている。このような扉体は、上下に分割して構成してあり、上側の扉体は、商品収容庫の前面開口の上部側を開閉するものであり、下側の扉体は、商品収容庫の前面開口の下部側を開閉するものである。この下側の扉体には、商品収容庫の商品収納ラックから払い出された商品を通過させるための商品搬出口が設けられている。
【０００４】
かかる扉体においては、その外表面に結露水が生ずることがある。かかる結露水を所定の個所に導くために樋部材が自動販売機本体に設けられており、下側の扉体の下端部には、該扉体の外表面に生じた結露水を樋部材に導くための案内部材が設けられている（例えば、特許文献１参照）。
【先行技術文献】
【特許文献】
【０００５】
【特許文献１】特開２００７−９４７６８号公報
【発明の概要】
【発明が解決しようとする課題】
【０００６】
ところで、上述した特許文献１には開示されていないが、上側の扉体においては、その下端部に補強金部材が設けられており、該補強金部材により該扉体の外表面で生じた結露水を貯留するようにしているのが一般的である。しかしながら、上側の扉体の外表面側は、空気の通路を構成しているわけではないので外気等が流れることが少ない。そのため、補強金部材に貯留された結露水が蒸発しづらく、結果的には、上側の扉体を開閉移動させる際に補強金部材に貯留された結露水が遠心力により床等に滴下してしまうことがあった。
【０００７】
本発明は、上記実情に鑑みて、外表面に生じた結露水を積極的に蒸発させることができる自動販売機用扉体を提供することを目的とする。
【課題を解決するための手段】
【０００８】
上記目的を達成するために、本発明に係る自動販売機用扉体は、自動販売機本体の内部に断熱構造の商品収容庫を設けた自動販売機に適用され、該商品収容庫の前面開口の上部側を覆う態様で配設される断熱構造の自動販売機用扉体において、断熱材から構成される矩形状の断熱扉本体と、前記断熱扉本体の縁部に配設された補強金部材とを備え、前記補強金部材のうち前記断熱扉本体の下端部に設けられた下端補強金部材は、前記断熱扉本体の前面に接する態様で上方に向けて延在してその途中から前方に傾斜しながら上方に向けて延在する補強保持部を有し、該補強保持部と前記断熱扉本体の前面との間で該断熱扉本体の前面で生じた結露水を貯留するとともに、毛管現象により結露水を吸水して蒸発させる蒸発シート体が差し込まれるようにして該蒸発シート体を立設させることを特徴とする。
【発明の効果】
【０００９】
本発明の自動販売機用扉体によれば、外表面に生じた結露水を貯留する補強金部材に立設する態様で設けられ蒸発シート体が、毛管現象により該補強金部材より結露水を吸水して蒸発させるので、該扉体の外表面に生じた結露水を積極的に蒸発させることができるという効果を奏する。
【図面の簡単な説明】
【００１０】
【図１】図１は、本発明の実施の形態である自動販売機用扉体が適用された自動販売機を概念的に示す概念図である。
【図２】図２は、図１に示した自動販売機の外箱及び商品収容室の構成を示す概念図である。
【図３】図３は、図１に示した自動販売機の外箱の内部における１つの商品収容庫の内部構造を示す断面側面図である。
【図４】図４は、図１及び図２に示した商品収容室を構成するもので、底壁の設置部位に配設される断熱ボードを示す斜視図である。
【図５】図５は、図１に示した自動販売機の要部断面側面図である。
【図６】図６は、図１に示した自動販売機に適用されるラック支持フレームの取付構造を示す斜視図である。
【図７】図７は、図１に示した自動販売機に適用されるラック支持フレームを上方側がら見た斜視図である。
【図８】図８は、図７に示したラック支持フレームの概念図である。
【図９】図９は、図１に示した自動販売機においてラック支持フレームの後端部と後方フレーム材との接続状態を示す拡大斜視図である。
【図１０】図１０は、図１に示した自動販売機においてラック支持フレームの後端部と後方フレーム材との接続状態を示す側面図である。
【図１１】図１１は、本実施の形態であるラック支持フレームにおける断熱ブロック材の他の取付例を示す概念図である。
【図１２】図１２は、図１に示した自動販売機を構成する上部内扉を示す斜視図である。
【図１３】図１３は、図１２に示した上部内扉の要部断面側面図である。
【図１４】図１４は、図１に示した自動販売機を構成する下部内扉の構成要素を分解して分解斜視図である。
【図１５】図１５は、図１４に示した前面側板金本体を示す斜視図である。
【図１６】図１６は、図１５に示した前面側板金本体の製造過程を示す説明図である。
【図１７】図１７は、図１５に示した前面側板金本体の製造過程を示す説明図である。
【図１８】図１８は、図１４に示した商品搬出口枠を示す斜視図である。
【図１９】図１９は、図１８に示した商品搬出口枠の要部を示す説明図である。
【図２０】図２０は、図１８に示した商品搬出口枠を扉本体に装着する過程を示す斜視図である。
【図２１】図２１は、図１８に示した商品搬出口枠の係止フック部が前面側板金本体の係止孔に挿入された状態を示す説明図である。
【図２２】図２２は、図１８に示した商品搬出口枠の装着状態を示す要部断面平面図である。
【図２３】図２３は、図１に示した下部内扉の下端部を拡大して示す斜視図である。
【図２４】図２４は、図２３に示した下部内扉の案内部材を示す縦断面図である。
【図２５】図２５は、外箱の前面開口及び商品収容室の前面開口が閉成された場合におけるスペーサ部材のはたらきを示す説明図である。
【発明を実施するための形態】
【００１１】
以下に添付図面を参照して、本発明に係る自動販売機用扉体の好適な実施の形態について詳細に説明する。
【００１２】
図１は、本発明の実施の形態である自動販売機用扉体が適用された自動販売機を概念的に示す概念図である。ここで例示する自動販売機は、例えば缶入り飲料やペットボトル入り飲料等の商品を冷却、若しくは加熱した状態で販売するもので、外箱１０、外扉５０及び内扉６０を備えている。
【００１３】
外箱１０は、図２に示すように、複数の金属板を適宜組み合わせることによって構成した自動販売機本体であり、前面が開口した箱状に構成してある。より具体的には、上壁１１、一対の側壁１２、底壁１３、背壁１４を接合することによって外箱１０を構成している。一対の側壁１２は、それぞれ底壁１３よりも下方に延在しており、互いの間に台座壁１５を接合してある。
【００１４】
外箱１０には、その内部に断熱構造の商品収容室２０が設けてある。本実施の形態では、図２に示すように、上壁１１、一対の側壁１２、底壁１３、背壁１４の内壁面にそれぞれ予め板状に成形した断熱ボード２１を配設することにより、これら断熱ボード２１によって囲まれる空間に商品収容室２０を構成している。そして、商品収容室２０に対して前方側より例えば２つの断熱仕切板２２を挿入させることで、外箱１０の内部に３つの独立した商品収容庫２３が左右に並んだ態様で設けられている。
【００１５】
図３は、図１に示した外箱１０の内部における１つの商品収容庫２３の内部構造を示す断面側面図である。この図３では、最も左側にある商品収容庫（以下、左庫ともいう）２３の内部構造について示すが、中央の商品収容庫（以下、中庫ともいう）２３及び右側の商品収容庫（以下、右庫ともいう）２３の内部構造も左庫と略同じような構成を有している。尚、本明細書における左側とは、自動販売機を正面側から見た場合の左方を示し、右側とは、自動販売機を正面側から見た場合の右方を示す。
【００１６】
左庫の内部には、搬出シュータ２４が設けてあり、この搬出シュータ２４よりも下方となる領域（以下、「熱交換領域」ともいう）に温度調節ユニット２５が配設してある一方、搬出シュータ２４よりも上方となる領域（以下、「商品収納領域」ともいう）に商品収納ラック４０が配設してある。
【００１７】
搬出シュータ２４は、商品収納ラック４０から払い出された商品を内扉６０（下部内扉６０ｂ）の商品搬出口６１に案内するためのプレート状部材であり、前方側に向けて漸次下方に傾斜する態様で配設してある。この搬出シュータ２４には、熱交換領域と商品収納領域との間を連通させる通気孔が多数穿設してある。
【００１８】
温度調節ユニット２５は、左庫の内部雰囲気を所望の温度状態に維持するためのもので、蒸発器２５ａ、電熱ヒータ２５ｂ及び庫内送風ファン２５ｃを備えて構成してある。
【００１９】
蒸発器２５ａは、圧縮機２６１、凝縮器２６２及び膨張弁２６３と冷媒配管２７にて接続されて冷凍サイクルを構成するものであり、自身の流路を通過する冷媒が蒸発することで周囲空気を冷却するものである。ここで、圧縮機２６１、凝縮器２６２及び膨張弁２６３は、外箱１０の内部であって商品収容室２０の下方に区画された機械室１６に配設してある。
【００２０】
電熱ヒータ２５ｂは、蒸発器２５ａの前方域に配設してあり、通電状態となることにより自身の周囲空気を加熱する加熱源である。庫内送風ファン２５ｃは、左庫（商品収容庫２３）の内部空気を循環させるための送風手段である。
【００２１】
このような温度調節ユニット２５においては、例えば冷凍サイクルを運転した状態で庫内送風ファン２５ｃを駆動すると、蒸発器２５ａにおいて冷却された空気が搬出シュータ２４の通気孔を通じて上方に送給されるため、商品収納ラック４０（商品収納領域）を低温状態に維持することができる。一方、電熱ヒータ２５ｂに通電した状態で庫内送風ファン２５ｃを駆動すると、電熱ヒータ２５ｂによって加熱された空気が搬出シュータ２４の通気孔を通じて上方に送給されるため、商品収納ラック４０（商品収納領域）を高温状態に維持することができる。
【００２２】
図４は、図１及び図２に示した商品収容室２０を構成するもので、底壁１３の設置部位に配設される断熱ボード２１を示す斜視図である。ここで例示する断熱ボード２１は、第１断熱板材２１１と第２断熱板材２１２とを備えて構成してある。
【００２３】
第１断熱板材２１１は、例えば発泡スチロールで構成される矩形状の板材であり、底壁１３の設置部位を覆うのに十分な大きさを有している。この第１断熱板材２１１には、第１通孔部２１１１、第２通孔部２１１２、設置凹部２１１３が設けてある。
【００２４】
第１通孔部２１１１は、複数（図示の例では３つ）設けてあり、第１断熱板材２１１の前端部に設けてある。これら第１通孔部２１１１は、冷凍サイクルを構成する冷媒配管２７が挿通するものであり、左側の第１通孔部２１１１には左庫２３の蒸発器２５ａに接続される冷媒配管２７が挿通し、中央の第１通孔部２１１１には中庫２３の蒸発器２５ａに接続される冷媒配管２７が挿通し、右側の第１通孔部２１１１には右庫２３の蒸発器２５ａに接続される冷媒配管２７が挿通する。
【００２５】
第２通孔部２１１２は、複数（図示の例では３つ）設けてあり、第１断熱板材２１１の後部に設けてある。これら第２通孔部２１１２は、それぞれドレンパン（図示せず）を設置するためのドレンパン凹部２１１４に形成されている。ここでドレンパンは、上記蒸発器２５ａの結露水を受け止める皿状のものである。従って、ドレンパン凹部２１１４に設置されたドレンパンの上に上記蒸発器２５ａが配設されることになる。つまり、左側のドレンパン凹部２１１４に設置されたドレンパンの上には左庫２３の蒸発器２５ａが配設され、中央のドレンパン凹部２１１４に設置されたドレンパンの上には中庫２３の蒸発器２５ａが配設され、右側のドレンパン凹部２１１４に設置されたドレンパンの上には右庫２３の蒸発器２５ａが配設されることになる。
【００２６】
第２通孔部２１１２は、それぞれドレンパンにその底部に連通する態様で連結されたドレンパイプ（図示せず）が挿通するものである。
【００２７】
設置凹部２１１３は、複数（図示の例では２つ）設けてあり、左側のドレンパン凹部２１１４及び中央のドレンパン凹部２１１４に連続する態様でその前方に設けてある。この設置凹部２１１３が設けられる個所は、上記電熱ヒータ２５ｂが配設される個所である。ここで、設置凹部２１１３が右側のドレンパン凹部２１１４の周囲に設けられていないのは、右庫２３は冷却専用の商品収容庫２３であり、加熱源である電熱ヒータ２５ｂが配設されないからである。
【００２８】
第２断熱板材２１２は、例えば発泡ウレタンのような第１断熱板材２１１よりも高い耐熱性能を有する断熱材で構成される板材である。このような第２断熱板材２１２は、設置凹部２１１３に適合する形態を成しており、図示の例では矩形状を成している。かかる第２断熱板材２１２は、設置凹部２１１３に嵌め込まれた形態で第１断熱板材２１１に載置され、自身の上面が第１断熱板材２１１の上面と同一平面を構成するようにしてある。そして、この第２断熱板材２１２の上面に上記電熱ヒータ２５ｂが配設されることになる。
【００２９】
上記商品収容室２０の内部には、図５〜図７に示すように、上端部に前方フレーム材２８及び後方フレーム材２９を介して複数（図示の例では３つ）のラック支持フレーム３０が左右方向に沿って並設してある。
【００３０】
ラック支持フレーム３０は、商品収納ラック４０を保持するためのもので、それぞれが一対の縦フレーム材３１の間に複数の横フレーム材３２を架設することによって予め格子状に構成してある。
【００３１】
縦フレーム材３１は、図７に示すように、長尺平板状の縦材水平部３１ａと、縦材水平部３１ａの一端部から直角に屈曲した長尺平板状の縦材垂下部３１ｂとを有したもので、横断面がＬ字状を成している。縦フレーム材３１における縦材水平部３１ａの前端部には、それぞれネジ孔３１ｃが設けてある。各ラック支持フレーム３０の縦フレーム材３１は、互いに縦材水平部３１ａの他端縁を対向させる態様で相互に平行に配設してある。
【００３２】
それぞれの縦フレーム材３１の後端部には、載置部３１ｄ及び係合部３１ｅが設けてある。載置部３１ｄは、図８に示すように、縦材垂下部３１ｂの下縁よりも上方となる位置に設けた下方に向く下面である。係合部３１ｅは、載置部３１ｄよりも後方側に位置する部位から下方に向けて突設した舌片状部分である。これら載置部３１ｄ及び係合部３１ｅは、いずれも縦フレーム材３１の縦材垂下部３１ｂと同一の板厚に構成してある。
【００３３】
横フレーム材３２は、長尺平板状の横材水平部３２ａと、横材水平部３２ａの一端縁部から直角に屈曲した長尺平板状の横材垂下部３２ｂと、横材垂下部３２ｂの延在縁部から横材水平部３２ａに対して平行に延在した後に該横材水平部３２ａに向けて直角に屈曲した係止部３２ｃとを有している。このような横フレーム材３２は、横材水平部３２ａの各端部をそれぞれ縦フレーム材３１における縦材水平部３１ａの上面に接合させ、互いに平行となる態様で一対の縦フレーム材３１に接合してある。
【００３４】
このようなラック支持フレーム３０においては、断熱ブロック材３５が保持されている。断熱ブロック材３５は、横フレーム材３２と略同一の長さ（左右長さ）を有しており、発泡スチロール等の弾性を有する断熱材から構成されるものである。この断熱ブロック材３５は、前方及び側方に開口する保持溝３５１が形成してある。保持溝３５１は、前方から後方に向けてその上下幅が漸次小さくなる楔状の形態を成している。
【００３５】
かかる断熱ブロック材３５は、縦フレーム材３１の縦材垂下部３１ｂの後端部に形成された切起部３３が保持溝３５１に進入することで該切起部３３に載置されており、これによりラック支持フレーム３０に保持されている。この断熱ブロック材３５の後端部は、縦フレーム材３１の載置部３１ｄの位置まで延在しており、側方から見た場合に該載置部３１ｄに重なっている（図８参照）。
【００３６】
尚、図６に示すように、上記自動販売機においては、互いに左右幅の異なる３種類のラック支持フレーム３０を備えているが、これら３種類のラック支持フレーム３０は、横フレーム材３２及び断熱ブロック材３５の長さのみが異なるもので、個々の詳細構成は互いに同一である。そして、互いに隣接するラック支持フレーム３０間に断熱仕切板２２が挿入されることになる。これにより、最も左側にあるラック支持フレーム３０は、左庫２３において商品収納ラック４０を保持するものであり、中央のラック支持フレーム３０は、中庫２３において商品収納ラック４０を保持するものであり、最も右側のラック支持フレーム３０は、右庫２３において商品収納ラック４０を保持するものである。
【００３７】
ラック支持フレーム３０を保持する前方フレーム材２８及び後方フレーム材２９は、金属によって成形した取付部材であり、それぞれ複屈曲した横断面形状を成している。前方フレーム材２８は、フランジ部２８ｃを介して上壁１１の前縁部下面に接合してあり、該上壁１１の下面から下方に向けて突出するとともに左右方向に沿って延在している。
【００３８】
後方フレーム材２９は、フランジ部２９ｃを介して背壁１４上縁部（内壁後縁部）の前面に接合してあり、該背壁１４の前面から前方に向けて突出するとともに、左右方向に沿って延在している。
【００３９】
尚、前方フレーム材２８及び後方フレーム材２９を外箱１０に接合する方法としては、例えば溶接やネジ止めを適用すれば良い。これらの接合方法は、いずれか一方を適用しても良いし、両方を併用するようにしても良い。
【００４０】
これら前方フレーム材２８及び後方フレーム材２９には、互いに対応する部位にスリット２９ｄが複数形成してある（前方フレーム材２８のスリットは図示せず）。ここで、後方フレーム材２９に設けたスリット２９ｄは、図９に示すように、基部２９ａと上方側に位置する側部２９ｂとに亘る部位に溝状に設けたもので縦フレーム材３１の縦材垂下部３１ｂを挿入することのできる大きさに形成してある。
【００４１】
上述した前方フレーム材２８と後方フレーム材２９との間にラック支持フレーム３０を保持させる場合には、まず、縦フレーム材３１の前端部を前方フレーム材２８のスリットに挿入する。次に、縦フレーム材３１の後端部に設けた係合部３１ｅを後方フレーム材２９のスリット２９ｄに挿入し、係合部３１ｅを後方フレーム材２９の内部に位置させるとともに、載置部３１ｄを介して縦フレーム材３１の後端部を後方フレーム材２９に載置させる。その後、ネジ等の締結部材を用いることでラック支持フレーム３０は、外箱１０の上壁１１の下面から離隔する態様で商品収容庫２３の内部にて前方フレーム材２８及び後方フレーム材２９に保持されることになる。
【００４２】
上述したように、ラック支持フレーム３０には断熱ブロック材３５が保持されており、この断熱ブロック材３５は、後端部は縦フレーム材３１の載置部３１ｄの位置まで延在している。そのため、ラック支持フレーム３０（縦フレーム材３１の後端部）が載置部３１ｄを介して後方フレーム材２９に載置されることになると、図１０に示すように、断熱ブロック材３５が弾性変形することでその一部が後方フレーム材２９のスリット２９ｄ（係合部３１ｅが挿入したスリット２９ｄだけでなく、縦フレーム材３１間にあるすべてのスリット２９ｄ）の内部に進入するとともに、後方フレーム材２９の商品収容庫２３への露出部分を覆うことになる。
【００４３】
ところで、図８や図１０に示すように、断熱ブロック材３５は、上端部と下端部との形態が異なっている。すなわち、上端部は水平面を形成しているのに対し、下端部の後方側には、下方に向けて突出部３５２が形成してある。つまり、断熱ブロック材３５の下端部においては、その前方側と後方側との間に段差が形成してある。
【００４４】
このように断熱ブロック材３５における上端部と下端部との形態を異なるものとしたので、図１１に示すように、断熱ブロック材３５を保持する個所の上方域が横フレーム材３２との接合個所となる場合に、かかる断熱ブロック材３５を上下逆にすることで該接合個所に干渉することなく断熱ブロック材３５を保持することが可能になる。
【００４５】
商品収納ラック４０は、図３及び図５に示すように、一対の側板４１の間にセグメントと称される湾曲形状部材４２を配設することによって上下方向に沿って延在する蛇行状の商品収納域４３を構成したもので、該商品収納域４３に商品を収納する一方、商品払出指令が与えられた場合に払出機構４４を通じて対応する商品の払い出しを行うものである。本実施の形態では、それぞれの商品収容庫２３に複数の商品収納域４３を有した商品収納ラック４０を前後に配設するようにしている。
【００４６】
それぞれの商品収納ラック４０は、側板４１の上端部に設けた取付金具４５をラック支持フレーム３０の横フレーム材３２に係止させ、さらにはこれら取付金具４５及びラック支持フレーム３０の横フレーム材３２をネジ４６によって互いに螺着することにより、ラック支持フレーム３０に吊下保持させてある。
【００４７】
外扉５０は、外箱１０の前面開口を覆うためのもので、外箱１０の一側縁部に開閉可能に配設してある。外扉５０の前面には、商品を販売する際に必要となるディスプレイウィンドウ、商品選択ボタン、紙幣挿通口、硬貨投入口、返却レバー、金額表示器、硬貨返却口が設けてあるとともに（いずれも図示せず）、商品取出口５１が設けてある。
【００４８】
また、この外扉５０には、商品取出部５２（図１及び図３参照）が設けてある。商品取出部５２は、商品収容庫２３における商品収納ラック４０から払い出されて内扉６０の商品搬出口６１を通過した商品を収容し、かつ商品取出口５１を通じて該商品を取出可能にするものである。
【００４９】
内扉６０は、商品収容庫２３（商品収容室２０）の前面を覆うためのもので、外扉５０よりも内方となる位置において外箱１０の一側縁部に開閉可能に配設したものである。この内扉６０は、上下に分割された構造を有しており、商品収容庫２３（商品収容室２０）の前面開口の上部側を覆う上部内扉（自動販売機用扉体）６０ａと、商品収容庫２３（商品収容室２０）の前面開口の下部側を覆う下部内扉６０ｂとから構成してある。
【００５０】
上部内扉６０ａは、図１２に示すように、発泡ウレタン等の断熱材から構成される矩形状の断熱扉本体７１に、その縁部に金属によって形成した補強金部材７２を配設することにより構成してある。
【００５１】
そして、補強金部材７２のうち断熱扉本体７１の下端部に設けられたもの（以下、下端補強金部材７２ともいう）は、断熱扉本体７１の幅方向に沿って延在する長尺状部材である。この下端補強金部材７２は、図１３に示すように、断熱扉本体７１の下端面に接する補強水平部７２１と、この補強水平部７２１の前縁部に接続してこの前縁部から上方に向けて延在した後に補強水平部７２１に対して平行に延在する補強基部７２２と、この補強基部７２２の延在端部より断熱扉本体７１の前面に接する態様で上方に向けて延在してその途中から前方に傾斜しながら上方に向けて延在する補強保持部７２３とを有している。
【００５２】
このような下側補強金部材７２においては、上部内扉６０ａの前面、すなわち断熱扉本体７１の前面に生じた結露水を、補強保持部７２３と断熱扉本体７１の前面との間で貯留させることができる。また、下側補強金部材７２においては、補強保持部７２３と断熱扉本体７１の前面との間に例えば不織布等から構成される蒸発シート体７３が差し込まれるように立設してある。かかる蒸発シート体７３は、毛管現象により結露水を吸水するものである。
【００５３】
これにより上部内扉６０ａにおいては、その前面に生じた結露水は、下方に向けて滴下する途中で蒸発シート体７３に吸水、あるいは下側補強金部材７２により貯留された後に蒸発シート体７３に吸水されることになる。
【００５４】
下部内扉６０ｂは、図１及び図３に示すように、各商品収容庫２３に対応した部位に商品搬出口扉６２を備えた商品搬出口６１を備えており、商品収納ラック４０から商品が搬出シュータ２４に払い出された場合に商品搬出口６１を通じて商品を商品取出部５２に搬出することが可能である。
【００５５】
このような下部内扉６０ｂは、図１４に示すように、扉本体８１と、前面側板金本体８２と、商品搬出口枠８３とを備えて構成してある。
【００５６】
扉本体８１は、発泡ウレタン等の断熱材によって予め板状に成形したものであって、下部内扉６０ｂの外径寸法と略同一の大きさを有している。この扉本体８１には、上述した商品搬出口６１に対応する部位にそれぞれ搬出用開口８１ａが形成してある。各搬出用開口８１ａは、それぞれ一様な幅をもって扉本体８１の下方に延在し、該扉本体８１の下端面に開放している。図には明示していないが、この扉本体８１においては、表裏両面にそれぞれ面材として樹脂フィルムやクラフト紙が貼付してある。
【００５７】
前面側板金本体８２は、金属製の板状部材によって成形したもので、扉本体８１と同様に下部内扉６０ｂの外径寸法と略同一の大きさを有している。この前面側板金本体８２は、図１５に示すように、扉本体８１の搬出用開口８１ａに対応する切欠８２ａを有したものであり、この切欠８２ａの上縁部よりも下方側となる下端部が後方に屈曲した形態を成している。また、前面側板金本体８２には、各切欠８２ａの両側部には、上下方向が長手方向となる長孔である係止孔８２ｂが形成してある。更に、前面側板金本体８２は、扉本体８１の前面を覆う態様で配設してある。尚、この前面側板金本体８２を扉本体８１に配設する方法としては、両面テープ等を適用すれば良い。
【００５８】
かかる前面側板金本体８２は、本実施の形態においては次のようにして作成されるものである。金属製の板状部材８５に対して切削加工を施すが、この際、図１６に示すように、切欠８２ａを形成する部位８５１に除去部材８６が該板状部材８５とミクロジョイント８７により連結されるように溝８８を形成する。このように除去部材８６がミクロジョイント８７により連結されてなる板状部材８５に対して、その下端部に曲げ加工を施す。その後にミクロジョイント８７で連結された除去部材８６を除去することで、図１７に示すような板状部材８５が得られる。かかる板状部材８５を適宜屈曲させることにより、図１５に示すような前面側板金本体８２が作成される。
【００５９】
つまり、前面側板金本体８２は、板状部材８５の切欠８２ａを形成する部位８５１に除去部材８６が該板状部材８５にミクロジョイント８７により連結されるよう溝８８が形成され、曲げ加工が施された後に除去部材８６が除去されることで切欠８２ａが形成されて成るものである。
【００６０】
商品搬出口枠８３は、下部内扉６０ｂの商品搬出口６１を規定するためのもので、それぞれ樹脂材によって矩形の枠状に構成してある。各商品搬出口枠８３には、図１８に示すように、上枠８３ａ１、一対の側枠８３ａ２及び下枠８３ａ３を四周枠として形成した枠本体８３ａに背面フランジ８３ｂ及び前面フランジ８３ｃが設けてある。これら背面フランジ８３ｂ及び前面フランジ８３ｃは、枠本体８３ａの開口周縁部から外方に向けて延在した部分である。また、商品搬出口枠８３は、その枠本体８３ａにおける両側枠８３ａ２の前面が上記前面側板金本体８２の下端部に適合するよう、その途中の高さレベルから下部に向けて漸次後方に傾斜する傾斜面となっている。更に、かかる傾斜面を構成する前面フランジ８３ｃには、後方に向けて突出する係止フック部８３１が形成してある。
【００６１】
上記商品搬出口枠８３における枠本体８３ａの周縁外部においては、断面形状が三角状を成す突起部８３２が下枠８３ａ３を除く全周域に亘って形成してある。また、図１９に示すように、商品搬出口枠８３においては、枠本体８３ａにおける両側枠８３ａ２の内面上部に商品搬出口扉６２の開閉移動軸となるヒンジ構造部８３３が形成してあり、かかるヒンジ構造部８３３を成形するための型抜き孔８３４が各側枠８３ａ２に形成してある。
【００６２】
上記の構成を有する商品搬出口枠８３は、扉本体８１に前面側板金本体８２を配設した後、図２０に示すように、扉本体８１の下端面から搬出用開口８１ａにスライドさせることによって当該扉本体８１に装着される。この場合、背面フランジ８３ｂを扉本体８１の背面に重ね合わせるとともに、前面フランジ８３ｃを前面側板金本体８２の前面に重ね合わせた状態で扉本体８１に対する商品搬出口枠８３の装着を行う。つまり、商品搬出口枠８３の背面フランジ８３ｂと前面フランジ８３ｃとで扉本体８１及び前面側板金本体８２とを挟み込むようにして商品搬出口枠８３の装着を行う。扉本体８１に装着した商品搬出口枠８３は、例えば前面フランジ８３ｃを介して前面側板金本体８２にネジ止めすることによって所望の位置に固定する。この際、図２１に示すように、商品搬出口枠８３に形成した係止フック部８３１を前面側板金本体８２の係止孔８２ｂに進入させて前面側板金本体８２に引っ掛けておくことで商品搬出口枠８３の内倒れを防止している。
【００６３】
このようにして商品搬出口枠８３が扉本体８１に装着することで、枠本体８３ａに形成された突起部８３２は、図２２に示すように扉本体８１の搬出用開口８１ａ縁部に食い込むことになる。
【００６４】
そして、図２３に示すように、商品搬出口枠８３が装着された扉本体８１に対し、扉本体８１の幅方向が長手方向となる長尺状板材である案内部材８４が扉本体８１の下端面及び商品搬出口枠８３の下枠８３ａ３を覆う態様でネジ止め等によって取り付けられることで下部内扉６０ｂが形成される。
【００６５】
案内部材８４は、上述したように扉本体８１の幅方向が長手方向となる長尺状板材であり、金属により構成されるものである。この案内部材８４は、複屈曲した横断面形状を有しており、図２４に示すように、案内基部８４１と案内端部８４２とを有している。案内基部８４１は、扉本体８１の下端部背面及び商品搬出口枠８３の下枠８３ａ３背面を覆うとともに、扉本体８１の下端面及び商品搬出口枠８３の下枠８３ａ３の下面を覆う態様で途中で屈曲して成る部位であり、ネジにより扉本体８１に取り付けられている。案内端部８４２は、案内基部８４１の前縁部より下方に屈曲して、前面側板金本体８２の傾斜面に連なって同一平面を形成するよう下方に向けて延在して成る部位である。つまり案内端部８４２は、下方に向かうに連れて扉本体８１の背面側に向かうよう傾斜している。
【００６６】
このような案内部材８４は、下部内扉６０ｂの外表面（特に前面）に生じた結露水を、案内端部８４２の前面を通じて滴下させ、図２５に示すように、外箱１０の底壁１３に配設された樋部材１７に案内するものである。ここで、樋部材１７は、商品収容庫２３の気密性を確保する観点から設けられたガスケット部材１８とともに底壁１３の前端面に取り付けてある。樋部材１７は、案内部材８４から案内された結露水を所定の蒸発皿（図示せず）に導くためのものである。
【００６７】
そして、かかる案内部材８４には、案内端部８４２にスペーサ部材９０が配設してある。スペーサ部材９０は、例えば樹脂材により構成されるものであり、案内端部８４２の前面側に突出する態様で案内部材８４の長手方向に沿って所定間隔毎に複数配設してある。
【００６８】
このようなスペーサ部材９０は、内扉６０（上部内扉６０ａ及び下部内扉６０ｂ）が全商品収容庫２３（商品収容室２０）の前面開口を閉成するとともに、外扉５０が外箱１０の前面開口を閉成する場合に、案内端部８４２と商品取出部５２の端部との間に介在してこれらの間に隙間Ｓを形成するものである。より詳細に説明すると、内扉６０が全商品収容庫２３の前面開口を閉成する場合には、外箱１０に設けられたガスケット部材１８を押圧することとなるが、かかるガスケット部材１８からの反力により内扉６０（特に下部内扉６０ｂ）の下端部が前方側（商品収容庫２３から離間する側）に撓むことになる。このように内扉６０の下端部が撓むこととなってもスペーサ部材９０が外扉５０の商品取出部５２の端部に当接することで、案内部材８４と商品取出部５２との間に間隙を形成することになる。
【００６９】
以上のような構成を有する自動販売機においては、外箱１０の底壁１３の設置部位に配設された断熱ボード２１は、該設置部位を覆う態様で配設された第１断熱板材２１１と、この第１断熱板材２１１よりも高い耐熱性能を有し、設置凹部２１１３に嵌め込まれた形態で該第１断熱板材２１１に載置される第２断熱板材２１２とを備えているため、最も高温となる電熱ヒータ２５ｂの設置個所にのみ第２断熱板材２１２を設置すればよく、底壁１３の設置部位全域には第１断熱板材２１１のみを設置すればよい。しかも、第１通孔部２１１１や第２通孔部２１１２等は第１断熱板材２１１にのみに形成すればよい。
【００７０】
従って、第２断熱板材２１２の材料コストを低減させることで断熱ボード２１全体の材料コストの低減化を図ることができ、しかも第２断熱板材２１２は設置凹部２１１３に適合するような例えば矩形状にのみ形成し、第１断熱板材２１１にのみ第１通孔部２１１１や第２通孔部２１１２等の形成を行えばよいので、加工コストの低減化も図ることができる。よって、コストの低減化を図ることができる。また、第１断熱板材２１１のみを底壁１３の設置部位に配設すればよく、二重構造の断熱構造を配設していた従来に比して設置作業における作業効率の向上を図ることもできる。
【００７１】
また、上記自動販売機においては、ラック支持フレーム３０が載置部３１ｄを介して後方フレーム材２９に載置されることになると、断熱ブロック材３５が弾性変形することでその一部が後方フレーム材２９のスリット２９ｄの内部に進入するとともに、後方フレーム材２９の商品収容庫２３への露出部分を覆うことになるので、取付部材である後方フレーム材２９からの熱リークを低減させることができる。しかも、断熱ブロック材３５はラック支持フレーム３０に保持されているので、断熱ブロック材３５を単独で設置する必要がなく、ラック支持フレーム３０の取り付けに合わせて設置させることができるので、断熱作業を容易なものとすることができる。
【００７２】
従って、後方フレーム材２９の熱リークを低減させつつ、断熱作業を簡単なものとすることができる。
【００７３】
また、上記自動販売機においては、上部内扉６０ａの下側補強金部材７２に立設された蒸発シート体７３が、その前面に生じた結露水を毛管現象により吸水しているので、従来のように補強金部材に結露水を貯留しているだけに比べて結露水を蒸発させやすくなり、上側内扉６０を開閉移動させる際に結露水が遠心力により床等に滴下してしまうことを抑制することができる。従って、上部内扉６０ａの外表面に生じた結露水を積極的に蒸発させることができる。
【００７４】
また、上記自動販売機においては、下部内扉６０ｂを構成する前面側板金本体８２は、板状部材８５の切欠８２ａする部位に除去部材８６が該板状部材８５にミクロジョイント８７により連結されるよう溝８８が形成され、曲げ加工が施された後に除去部材８６が除去されることで切欠８２ａが形成されて成るものであるので、汎用の型機構を用いつつ曲げ加工を良好に行うことができる。従って、従来のように専用の型機構等を必要とせずに、製造コストを低減させることができる。
【００７５】
また、上記自動販売機においては、下部内扉６０ｂを構成する商品搬出口枠８３は、扉本体８１における搬出用開口８１ａの縁部と接触する面に搬出用開口８１ａの縁部に食い込む態様で形成された突起部８３２を備えているので、扉本体８１と商品搬出口枠８３との気密性を良好に確保することができる。
【００７６】
しかも、商品搬出口枠８３の側枠８３ａ２に商品搬出口扉６２のヒンジ構造部８３３を成型するための型抜き孔８３４が形成してあるので、かかる型抜き孔８３４を通じて下部内扉６０ｂの内外方向に空気が流れることがなく、気密性の向上を図ることができる。
【００７７】
更に、商品搬出口枠８３は、係止フック部８３１を前面側板金本体８２の係止孔８２ｂに進入させて前面側板金本体８２に引っ掛けておくことで内倒れを防止しているので、係止フック部８３１等に応力集中が発生する虞れもなく、販売荷重に対する強度を十分なものとすることができ、しかも係止孔８２ｂに係止フック部８３１を進入させるだけなので、商品搬出口枠８３の取り付け及び取り外しを容易に行うことができる。
【００７８】
また、上記自動販売機においては、スペーサ部材９０は、内扉６０（上部内扉６０ａ及び下部内扉６０ｂ）が全商品収容庫２３（商品収容室２０）の前面開口を閉成するとともに、外扉５０が外箱１０の前面開口を閉成する場合に、商品取出部５２の端部に当接してこの端部と案内端部８４２との間に隙間Ｓを形成するので、内扉６０の外表面で生じた結露水は、案内部材８４の案内端部８４２の外表面を滴下して樋部材１７に案内されることになる。つまり、内扉６０の外表面で生じた結露水が外扉５０の商品取出部５２に進入することを防止することができる。よって、内扉６０の外壁面で生じた結露水が商品取出部５２に進入することなく樋部材１７に案内することができる。
【００７９】
しかも、スペーサ部材９０が商品取出部５２の端部に当接することで、内扉６０の撓み量を規制することができ、商品の通過寸法を十分に確保することができる。更に、内扉６０とガスケット部材１８との密着も十分に行えるために商品収容庫２３間における気密性も良好なものとすることができる。
【００８０】
以上、本発明の好適な実施の形態について説明したが、本発明なこれに限定されるものではなく、種々の変更を行うことができる。
【００８１】
上述した実施の形態では、案内部材８４と商品取出部５２との間の隙間Ｓを形成するためのスペーサ部材９０は、案内部材８４に配設されていたが、本発明においては、商品取出部に配設され、内扉の構成部材に当接するようにしても良い。これによっても内扉の外表面に生じた結露水が商品取出部に進入することを防止することができる。
【産業上の利用可能性】
【００８２】
以上のように、本発明に係る自動販売機用扉体は、例えば缶入り飲料やペットボトル入り飲料等の商品を販売する自動販売機に有用である。
【符号の説明】
【００８３】
１０  外箱
１１  上壁
１２  側壁
１３  底壁
１４  背壁
２０  商品収容室
２１  断熱ボード
２１１  第１断熱板材
２１２  第２断熱板材
２１１１  第１通孔部
２１１２  第２通孔部
２１１３  設置凹部
２１１４  ドレンパン凹部
２３  商品収容庫
２５ｂ  電熱ヒータ
２９  後方フレーム材
３０  ラック支持フレーム
３３  切起部
３５  断熱ブロック材
３５１  保持溝
４０  商品収納ラック
５０  外扉
５１  商品取出口
５２  商品取出部
６０  内扉
６０ａ  上部内扉
６０ｂ  下部内扉
６１  商品搬出口
６２  商品搬出口扉
７２  補強金部材
７２１  補強水平部
７２２  補強基部
７２３  補強保持部
７３  蒸発シート体
８１  扉本体
８１ａ  搬出用開口
８２  前面側板金本体
８２ａ  切欠
８３  商品搬出口枠
８３ａ  枠本体
８３ｂ  背面フランジ
８３ｃ  前面フランジ
８３２  突起部
８３４  型抜き孔
８４  案内部材
８４２  案内端部
８５  板状部材
８６  除去部材
８７  ミクロジョイント
９０  スペーサ部材
Ｓ  間隙
【図１】
0005712690.tif 000002
【図２】
0005712690.tif 000003
【図３】
0005712690.tif 000004
【図４】
0005712690.tif 000005
【図５】
0005712690.tif 000006
【図６】
0005712690.tif 000007
【図７】
0005712690.tif 000008
【図８】
0005712690.tif 000009
【図９】
0005712690.tif 000010
【図１０】
0005712690.tif 000011
【図１１】
0005712690.tif 000012
【図１２】
0005712690.tif 000013
【図１３】
0005712690.tif 000014
【図１４】
0005712690.tif 000015
【図１５】
0005712690.tif 000016
【図１６】
0005712690.tif 000017
【図１７】
0005712690.tif 000018
【図１８】
0005712690.tif 000019
【図１９】
0005712690.tif 000020
【図２０】
0005712690.tif 000021
【図２１】
0005712690.tif 000022
【図２２】
0005712690.tif 000023
【図２３】
0005712690.tif 000024
【図２４】
0005712690.tif 000025
【図２５】
0005712690.tif 000026